(57)【要約】      （修正有）【課題】収容対象商品の収容が極めて容易に課されると共に、従来に於いては使用不能としたフォークリフトによる収容作業の実行も許容されるように構成した新規の折畳みパレットを提供する。【解決手段】下半部正面枠８と上半部正面枠９とに分割形成され、かつ両枠８，９は蝶番１０を介して開閉自在に連結して成る正面枠Ａを、左右の正面側柱体６に対して、着脱自在に掛け止めると共に、下半部正面枠８と上半部正面枠９には、正面側柱体６に対する夫々別個の掛止め手段を設けることに依って、下半部正面枠８の掛け止め状態下においても、上半部正面枠９は前方向に１８０度開くことができるように構成する。【選択図】図１
0003138699.tif 000002
【実用新案登録請求の範囲】
【請求項１】
四隅にガイドポスト(３)を設けた床枠(１)の後端縁に対して背面枠(4)を起伏自在に取り付けると共に、当該ガイドポスト(３)に対して起伏自在に連結して成る正面側柱体(６)と背面側柱体(７)に対して左右の側面枠(５，５)を取付け、当該背面枠(４)及び左右の側面枠(５，５)が、床枠(１)上に重ね合わせるような折り畳みが成されるように構成した折畳みパレットおいて、
下半部正面枠(８)と上半部正面枠(９)とに分割形成されかつ当該両枠(8，9)は蝶番(10)を介して開閉自在に連結して成る正面枠(Ａ)を、前記した左右の正面側柱体(６)に対して、着脱自在に掛け止めると共に、
当該下半部正面枠(８)と上半部正面枠(９)には、正面側柱体６に対する夫々別個の掛止め手段を設けることに依って、下半部正面枠(８)の掛け止め状態下においても、当該上半部正面枠(９)は前方向に１８０度開くことができるように構成した折畳みパレット。
【請求項２】
下半部正面枠(８)と上半部正面枠(９)の縦方向の寸法を、両者が等しいか或いは上半部正面枠(９)の縦寸法が下半部正面枠(８)の縦寸法を超えない範囲の寸法に設定して成る請求項１に記載の折畳みパレット。
【請求項３】
正面側柱体(６)に対する下半部正面枠(８)の掛け止め手段として、当該下半部正面枠(８)の上辺枠(8ａ)の両端を延長して係止用突起部(ａ)を形成し、正面側柱体(６)の内側面から正面部分にかけて、上半部を差込用開口部(12ａ)とすると共に下半部を係止用突起部(ａ)に対する掛止め用収容部(12ｂ)として成る係合用窓孔(12)を開設し、正面枠(Ａ)をやや持ち上げた状態でその下半部正面枠(８)の係止用突起部(ａ)が当該差込用開口部(12ａ)に嵌入され、当該正面枠(Ａ)の降下に基づき下半部正面枠(８)の下端縁が床枠(1)上に接すると共に当該係止用突起部(ａ)が掛止め用収容部(12ｂ)内に収容係止させられることに依り、当該下半部正面枠(８)の掛け止めが成されるように構成した請求項１乃至請求項２の何れかに記載の折畳みパレット。
【請求項４】
正面側柱体(６)に対する上半部正面枠(９)の掛け止め手段として、上半部正面枠(９)の上面両端寄りに、係止用鈎杆(11ａ)を具えたカンヌキ金具(11)を取付け、正面側柱体(６)における上端寄り内側面の対応部に開設した横長孔に対して、当該カンヌキ金具(11)の係止用鈎杆(11ａ)をその鈎部が水平状態において突入させると共にこれを９０度回転させることにより垂直状態に転位させ、これにより当該係止用鈎杆(11ａ)を正面側柱体(６)内に対する突入状態での係止が図られ、上半部正面枠(９)の正面側柱体(６)に対する掛止めが成されるように構成した請求項１乃至請求項３の何れかに記載の折畳みパレット。  
【請求項５】
床枠(1)、背面枠(4)、側面枠(５，５)、正面枠(Ａ)の全てを網枠で形成して成る請求項１乃至請求項４の何れかに記載の折畳みパレット。
【考案の詳細な説明】
【技術分野】
【０００１】
本考案は所要の荷物を収容して移送するための折畳みパレットに関する。
【背景技術】
【０００２】
元来、折畳みパレットとは、正背両面枠及び左右両面枠を、底面に重ね合わせるように構成し、その保管時等に於いてこれを段積みすることができるように構成したものである。  そして、従来のこの種のパレットは箱状に組立てた状態で、その上面開口部から所要製品等を収容するように構成したものである。（例えば、特許文献１参照。）。
【０００３】
【特許文献１】実公平７−２８１１３号公報
【考案の開示】
【考案が解決しようとする課題】
【０００４】
上述したような従来の折畳みパレットの場合、上面開口部から所要荷物の収容を行う関係上、通常、人為的に収容対象荷物を持ち上げてこれを行なわなければならなかった。  従って、その収容作業には著しい重労働性が伴うことを余儀なくされた。
本考案はこのような従来の問題点を解消し、荷物の収容が極めて容易に果されると共に、場合によっては、従来に於いては使用不能としたフォークリフトによる収容作業の実行も許容化されるように構成した新規の折畳みパレットの提供を図ったものである。
【課題を解決するための手段】
【０００５】
本考案は請求項１に記載のように、四隅にガイドポスト３を設けた床枠１の後端縁に対して背面枠4を起伏自在に取り付けると共に、当該ガイドポスト３に対して起伏自在に連結して成る正面側柱体６と背面側柱体７に対して左右の側面枠５，５を取付け、当該背面枠４及び左右の側面枠５，５が、床枠１上に重ね合わせるような折り畳みが成されるように構成した折畳みパレットおいて、下半部正面枠８と上半部正面枠９とに分割形成されかつ当該両枠8，9は蝶番10を介して開閉自在に連結して成る正面枠Ａを、前記した左右の正面側柱体６に対して、着脱自在に掛け止めると共に、当該下半部正面枠８と上半部正面枠９には、正面側柱体６に対する夫々別個の掛止め手段を設けることに依って、下半部正面枠８の掛け止め状態下においても、当該上半部正面枠９は前方向に１８０度開くことができるように構成した折畳みパレットに係るものである。
【０００６】
また、本考案は請求項２に記載のように、下半部正面枠８と上半部正面枠９の縦方向の寸法を、両者が等しいか或いは上半部正面枠９の縦寸法が下半部正面枠８の縦寸法を超えない範囲の寸法に設定して成る請求項１に記載の折畳みパレットを実施の態様とする。
【０００７】
更に、本考案は請求項３に記載のように、正面側柱体６に対する下半部正面枠８の掛け止め手段として、当該下半部正面枠８の上辺枠8ａの両端を延長して係止用突起部ａを形成し、正面側柱体６の内側面から正面部分にかけて、上半部を差込用開口部12ａとすると共に下半部を係止用突起部ａに対する掛止め用収容部12ｂとして成る係合用窓孔12を開設し、正面枠Ａをやや持ち上げた状態でその下半部正面枠８の係止用突起部ａが当該差込用開口部12ａに嵌入され、当該正面枠Ａの降下に基づき下半部正面枠８の下端縁が床枠1上に接すると共に当該係止用突起部ａが掛止め用収容部12ｂ内に収容係止させられることに依り、当該下半部正面枠８の掛け止めが成されるように構成した請求項１乃至請求項２の何れかに記載の折畳みパレットを実施の態様とするものである。
【０００８】
更に、本考案は請求項４に記載のように、正面側柱体６に対する上半部正面枠９の掛け止め手段として、上半部正面枠９の上面両端寄りに、係止用鈎杆11ａを具えたカンヌキ金具11を取付け、正面側柱体６における上端寄り内側面の対応部に開設した横長孔に対して、当該カンヌキ金具11の係止用鈎杆11ａをその鈎部が水平状態において突入させると共にこれを９０度回転させることにより垂直状態に転位させ、これにより当該係止用鈎杆11ａを正面側柱体６内に対する突入状態での係止が図られ、上半部正面枠９の正面側柱体６に対する掛止めが成されるように構成した請求項１乃至請求項３の何れかに記載の折畳みパレット実施の態様とするものである。
【０００９】
更に、本考案は請求項５に記載のように、床枠1、背面枠4、側面枠５，５、正面枠Ａの全てを網枠で形成して成る請求項１乃至請求項４の何れかに記載の折畳みパレットを実施の態様とするものである。
【考案の効果】
【００１０】
本考案に係る折畳みパレットは、請求項１に記載のように、四隅にガイドポスト３を設けた床枠１の後端縁に対して背面枠4を起伏自在に取り付けると共に、当該ガイドポスト３に対して起伏自在に連結して成る正面側柱体６と背面側柱体７に対して左右の側面枠５，５を取付け、当該背面枠４及び左右の側面枠５，５が、床枠１上に重ね合わせるような折り畳みが成されるように構成した折畳みパレットおいて、下半部正面枠８と上半部正面枠９とに分割形成されかつ当該両枠8，9は蝶番10を介して開閉自在に連結して成る正面枠Ａを、前記した左右の正面側柱体６に対して、着脱自在に掛け止めると共に、当該下半部正面枠８と上半部正面枠９には、正面側柱体６に対する夫々別個の掛止め手段を設けることに依って、下半部正面枠８の掛け止め状態下においても、当該上半部正面枠９は前方向に１８０度開くことができるように構成したから、パレット内に対する荷物収容作業が著しく容易化される。
【００１１】
すなわち、従来のこの種パレットの場合、上面開口部から所要製品等の収容を行う関係上、通常、人為的に収容対象製品を持ち上げてこれを行なうため、その作業には顕著な重労働性が伴ったが、本考案に係るパレットは上記のような構成の採用に基づき、荷物の収容は正面枠Ａを取外した状態で行い、収容作業の終了後に正面枠Ａを取り付けてパレットを閉鎖すると言うような積み込み方式を採ることができるため、荷物を正面枠の上縁まで持ち上げるというような重労働性は全く解消されると共に、荷物の水平移動でパレット内収容が果されるため、従来に於いては使用不能としたフォークリフトによる収容作業の実行も許容化されることとなる。
【００１２】
更に、上半部正面枠９だけを前方に開いた状態での荷物収容作業を行うことができるため、細かい崩れ易い荷物の場合のバラ積み作業に於いても、正面枠Ａの上縁越しに荷物を収容する場合に比して、その作業は著しく軽労働化される。  従って、本考案に係るパレットは、このような二つの形態での荷物収容作業の実行が許容化されるため、収容荷物に即した作業形態の採用が可能化されることとなる。
【００１３】
本考案は請求項２に記載のように、下半部正面枠８と上半部正面枠９の縦方向の寸法を、両者が等しいか或いは上半部正面枠９の縦寸法が下半部正面枠８の縦寸法を超えない範囲の寸法に設定したから、上半部正面枠９を開いた際、これが下半部正面枠８の前面にぴったりと重ねあわされることなり、当該上半部正面枠９の存在が荷物積み込み上の障害物となることが回避される。
【００１４】
本考案は請求項３に記載のように、正面側柱体６に対する下半部正面枠８の掛け止め手段として、当該下半部正面枠８の上辺枠8ａの両端を延長して係止用突起部ａを形成し、正面側柱体６の内側面から正面部分にかけて、上半部を差込用開口部12ａとすると共に下半部を係止用突起部ａに対する掛止め用収容部12ｂとして成る係合用窓孔12を開設し、正面枠Ａをやや持ち上げた状態でその下半部正面枠８の係止用突起部ａが当該差込用開口部12ａに嵌入され、当該正面枠Ａの降下に基づき下半部正面枠８の下端縁が床枠1上に接すると共に当該係止用突起部ａが掛止め用収容部12ｂ内に収容係止させられることに依り、当該下半部正面枠８の掛け止めが成されるように構成したから、下半部正面枠８の掛止めが極めて安定した状態で達成されると共に、正面枠Ａの取り外しも簡単に行うことができる。
【００１５】
本考案は請求項４に記載のように、正面側柱体６に対する上半部正面枠９の掛け止め手段として、上半部正面枠９の上面両端寄りに、係止用鈎杆11ａを具えたカンヌキ金具11を取付け、正面側柱体６における上端寄り内側面の対応部に開設した横長孔に対して、当該カンヌキ金具11の係止用鈎杆11ａをその鈎部が水平状態において突入させると共にこれを９０度回転させることにより垂直状態に転位させ、これにより当該係止用鈎杆11ａを正面側柱体６内に対する突入状態での係止が図られ、上半部正面枠９の正面側柱体６に対する掛止めが成されるように構成したから、上半部正面枠９の開閉作業が簡便に果され、作業の迅速化・容易化が図られることとなる。
【００１６】
本考案は請求項４に記載のように、床枠1、背面枠4、側面枠５，５、正面枠Ａの全てを網枠で形成することにより、単なる箱パレットとしての実施以外に、網パレットとしての実施することができる。
【考案を実施するための最良の形態】
【００１７】
図は本考案に係る折畳みパレットの一実施例を表したものであって、図示の実施例にあっては網パレットとしてあるが、これは絶対的要件ではなく、床枠及び四周の枠面をボード状のものとした所謂箱パレットであっても本考案の実施は可能である。
以下、本考案の構成を図面に示す実施例について詳細に説明する。
【００１８】
図１に於いて、１は底面にスキー２を取付けた床枠であって、その四隅にはガイドポスト３が立設されている。  3ａは該ガイドポスト３の下面に突設した連結用突起片であって、組立て状態にある複数のパレットを積重ねる際に、上位に位置するパレットに於ける後記柱体の上端に係合して積重ね状態の安定化を図るためのものである。  2ａは当該スキー２に対する補強枠である。
【００１９】
４は床枠の後端縁に対して起伏自在に取付けた背面枠であって、折畳み時には床枠１の上面に対して重ねた状態で倒すことができるように構成してある。
【００２０】
５，５は左右の側面枠であって、その両側縁には正面側柱体６と背面側柱体７が取付けられており、当該両柱体６，７の下端は、前述したガイドポスト３に対して起伏自在に取付けてある。  当該正面側柱体６は、後述するような正面枠Ａに対する固定手段を採るために中空角パイプ材で形成することを要件とするが、背面側柱体７に関してはこのような制約性はなく、単なる角材であっても良い。  然し乍、軽量性及び製造の容易性を考慮した場合、両柱体6，7は何れも中空角パイプ材製とすることが好ましい。
【００２１】
上記した両柱体６，７であるが、これは前記ガイドポスト３に対して、不使用時には内側方向への折畳みが許容され、またパレットとしての使用時には、これが直立状態に保たれように構成してある。  3bは折畳み制御用係止突起であって、上記したような両柱体６，７の折畳み状態での係止安定化を図るためのものである。  
なお、このような正面側柱体６と背面側柱体７のガイドポスト３に対する取付け形態は公知技術に属するものであり、この種の組立てパレットにあっては常套的手段に属するものである。
【００２２】
上述したような従来の折畳みパレットにあっては、その正面枠も、前記背面枠４と同様には床枠の後端縁に対して起伏自在に立ち上がらせるように取付け、折畳み時には床枠１の上面に重ね合わせて倒伏させられるように構成したものであった。      
本考案は、その正面枠Ａ部分の構成として、以下に述べるような構成を採ることに依り、収容対象商品の収容が極めて容易に果されると言う従来には全く無い独自の作用効果が奏せられるようにしたことを特徴とするものである。
【００２３】
図６は本考案の要旨部材とする正面枠Ａだけを取外して示したものである。  同図に於いて、８は下半部正面枠、９は上半部正面枠であって、両者は蝶番10を介して開閉自在に連結することにより、一枚の正面枠としての形態が保持されるように構成してある。  そして、当該下半部正面枠８と上半部正面枠９は通常は等しい縦幅を具えたものとすることにより、上半部正面枠９は、これを180度開いた際に下半部正面枠８に対して重ねることができるように構成してある。  なお、このような重ね合わせを阻害しないようにするために、下半部正面枠８と上半部正面枠９の縦寸法は、両者が等しいか或いは上半部正面枠９の縦寸法が下半部正面枠８の縦寸法を超えないことが重要である。
【００２４】
8ａは下半部正面枠８における上辺枠であって、その両端には、正面側柱体６に設けた後述する嵌込み用スリット内に突入係止させるための係止用突起部ａが延長連設してある。
【００２５】
8ｂは下半部正面枠８における下辺枠であって、その両端には、ガイドポスト３に対して係止させるための係止用突起部ｂが延長連設してある。
【００２６】
9ａは上半部正面枠９の上辺枠であって、その上面両端寄りには、当該上半部正面枠９を正面側柱体６に対して掛止めするための回転かつ摺動可能な係止用鈎杆11aを具えたカンヌキ金具11が取付けられており、これを正面側柱体６に設けた後記する係合用横長孔に突入係止させることにより、当該上半部正面枠９の起立状態での安定が図られるように構成してある。  
【００２７】
上記したような構成を有する正面枠Ａであるが、これは図３に示すように、下端縁を床枠１上に接触させて立てると共に、下半部正面枠８の上辺枠8ａに設けられている係止用突起部ａを、正面側柱体６に開設されている下記するような形態を備えた係合用窓孔12内に係止させることにより安定させる。
【００２８】
ところで、上記した係合用窓孔12であるが、これは図３及び図４に示すように、正面側柱体６の内側面から正面部分にかけて開設したものであり、上半部を差込用開口部12ａとすると共に、下半部を係止用突起部ａに対する掛止め用収容部12ｂとするように構成されている。  従って、正面枠Ａをやや持ち上げた状態で、その下半部正面枠８の上辺枠8ａに設けられている係止用突起部ａを、当該係合用窓孔12の差込用開口部12ａに嵌入させ、然る後、当該正面枠Ａを降下させてその下端縁を床枠1上に接しさせた際に、当該係止用突起部ａが掛止め用収容部12ｂ内に収容係止させられて、当該正面枠Ａはその下半部正面枠８での直立状態での安定化が図られる。
【００２９】
また、上記したカンヌキ金具11であるが、これは図３及び図５に示すように、正面側柱体６における上端寄り内側面の対応部に開設した係合用横長孔に対して、当該カンヌキ金具11の係止用鈎杆11ａをその鈎部が水平状態において突入させると共にこれを９０度回転させることにより垂直状態に転位させ、これにより当該係止用鈎杆11ａを正面側柱体６内に対する突入状態での係止を図り、上半部正面枠９の正面側柱体６に対して掛止められ、これに依り正面枠Ａ全体の仮止め固定がなされるように構成してある。  11ｂは当該係止用鈎杆11ａの係止及び開放のために回転させるための操作用レバーである。
【００３０】
そして、この状態に於いて、カンヌキ金具11による正面側柱体６に対する係止を解除すれば、上半部正面枠９だけを前方に１８０度回転させて開くことができるように構成してある。  なお、この状態に於いて正面枠Ａはその下半部正面枠８において正面側柱体６に対して固定状態に保たれており、換言すると、この状態は正面枠Ａの上半部を部分的に開いた状態である。
【００３１】
図１に示す状態に於いて、カンヌキ金具11の係止用鈎杆11aを回転かつ内方に摺動させることによって、その係止用鈎杆11ａをその鈎部を水平化させると共に正面側柱体６における上端寄り内側面の対応部に開設した横長孔に対する係止を解除すれば、上半部正面枠９を前方に全面的に開くことができる。  従って、この状態で荷物の積み込みを行うことができる。
【００３２】
更に、上記のようなカンヌキ金具11による係止を解除した状態で、下半部正面枠８を持ち上げれば、正面側柱体６の係合用窓孔12に対する下半部正面枠８に於ける係止用突起部ａの係止離脱が図られ、正面枠Ａ全体の取り外しが果される。  従って、正面枠Ａが無い状態での荷物積み込みが許容化される。
【図面の簡単な説明】
【００３３】
【図１】本考案に係る折畳みパレットの正面図である。
【図２】本考案に係る折畳みパレットの平面図である。
【図３】本考案における要部を表した一部切欠正面図である。
【図４】図３におけるＸ−Ｘ線拡大断面図である。
【図５】本考案におけるカンヌキ金具11部分を拡大して表した正面図である。
【図６】取外し状態にある本考案の要部とする正面枠Ａを表した正面図である。
【符号の説明】
【００３４】
１  床枠
２  スキー
2a  補強枠
３  ガイドポスト
3a  連結用突起片
3b  折畳み制御用係止突起
４  背面枠
５  左右の側面枠
６  正面側柱体
７  背面側柱体
Ａ  正面枠
８  下半部正面枠
8ａ 上辺枠
8ｂ 下辺枠
ａ  係止用突起部
ｂ  係止用突起部
９  上半部正面枠
9ａ 上辺枠  
10  蝶番
11  カンヌキ金具
11a 係止用鈎杆
11b 操作用レバー
12  係合用窓孔
12a 差込用開口部
12b 掛止め用収容部
【図１】
0003138699.tif 000003
【図２】
0003138699.tif 000004
【図３】
0003138699.tif 000005
【図４】
0003138699.tif 000006
【図５】
0003138699.tif 000007
【図６】
0003138699.tif 000008